(57)【要約】【課題】確実に±５Ｖ以下に人体電圧を抑制することができる静電気対策用リストバンドおよび静電気対策用リストバンドセットを提供する。【解決手段】静電気対策用リストバンド１２では帯体１４に第１および第２電極２５ａ、２５ｂが支持される。第１電極２５ａには第１導電性ゲル１９ａが巻き付けられる。第２電極２５ｂには第２導電性ゲル１９ｂが巻き付けられる。帯体１４が使用者の手首に装着されると、第１導電性ゲル１９ａおよび第２導電性ゲル１９ｂは使用者の皮膚に密着する。たとえ使用中に帯体１４が緩んできても、第１および第２導電性ゲル１９ａ、１９ｂは密着を維持することができる。第１および第２電極２５ａ、２５ｂには確実に人体の静電気が流れ込む。【選択図】図２
2008198401.tif 000002
【特許請求の範囲】
【請求項１】
帯体と、帯体に支持される第１電極と、第１電極に巻き付けられる第１導電性ゲルと、帯体に支持されて、第１電極および第１導電性ゲルから絶縁される第２電極と、第１電極および第１導電性ゲルから絶縁されつつ第２電極に巻き付けられる第２導電性ゲルとを備えることを特徴とする静電気対策用リストバンド。
【請求項２】
請求項１に記載の静電気対策用リストバンドにおいて、前記第１電極に形成されて、外側に向かって突き出る第１電極突起と、前記第１導電性ゲルに形成されて、第１電極突起を受け入れる第１貫通孔と、前記第２電極に形成されて、外側に向かって突き出る第２電極突起と、前記第２導電性ゲルに形成されて、第２電極突起を受け入れる第２貫通孔とをさらに備えることを特徴とする静電気対策用リストバンド。
【請求項３】
請求項２に記載の静電気対策用リストバンドにおいて、前記第１導電性ゲルの縁に沿って延びるガイド部材をさらに備えることを特徴とする静電気対策用リストバンド。
【請求項４】
帯体と、帯体に支持される第１電極と、第１電極に巻き付けられる第１導電性ゲルと、帯体に支持されて、第１電極および第１導電性ゲルから絶縁される第２電極と、第１電極および第１導電性ゲルから絶縁されつつ第２電極に巻き付けられる第２導電性ゲルと、第１導電ケーブルの先端に接続されて、第１電極に着脱自在に結合される第１着脱電極と、第２導電ケーブルの先端に接続されて、第２電極に着脱自在に結合される第２着脱電極とを備えることを特徴とする静電気対策用リストバンドセット。
【請求項５】
請求項５に記載の静電気対策用リストバンドセットにおいて、前記第１および第２着脱電極を保持し、導電性ゲルに覆い被さる電極ユニット本体をさらに備えることを特徴とする静電気対策用リストバンドセット。
【発明の詳細な説明】
【技術分野】
【０００１】
本発明は、人体からアースに向かって静電気を逃す際に用いられる静電気対策用リストバンドおよび静電気対策用リストバンドセットに関する。
【背景技術】
【０００２】
リストバンドは帯体を備える。帯体には電極が支持される。電極には導電ケーブルが接続される。導電ケーブルは接地される。帯体が作業者の手首に巻かれると、電極は作業者の皮膚に接触する。人体電圧は作業者の皮膚から電極に流れ込む。こうして静電気は作業者からアースに逃される。
【０００３】
ハードディスク駆動装置（ＨＤＤ）にはキャリッジが組み込まれる。キャリッジにはヘッドサスペンションアセンブリーが搭載される。ヘッドサスペンションアセンブリーではヘッドサスペンションに磁気ヘッド素子が支持される。ハードディスク駆動装置の組み立てにあたってキャリッジは帯電する。こういったキャリッジが導電体に接触すると、キャリッジから静電気放電が生じる。静電気放電で電流は流通する。磁気ヘッド素子には電磁誘導の働きで二次誘導電流が流通する。こういった二次誘導電流はしばしば磁気ヘッド素子を破壊する。リストバンドの使用はキャリッジの帯電を防止する。
【特許文献１】特開２０００−３１１７９５号公報
【特許文献２】登録実用新案第２５５７８３７号公報
【発明の開示】
【発明が解決しようとする課題】
【０００４】
帯体の緩みや皮膚の乾燥に基づきリストバンドと皮膚との間で接触抵抗が変動する。その結果、人体の帯電電圧は±５Ｖ以下に抑え込まれることができない。人体の帯電電圧が±５Ｖ以下に抑え込まれなければ、たとえリストバンドが利用されてもキャリッジの帯電電圧は±５Ｖを下回ることはできない。±５Ｖの帯電電圧に基づき静電気放電が生じると、二次誘導電流は磁気ヘッド素子の耐電流値を超えてしまう。
【０００５】
本発明は、上記実状に鑑みてなされたもので、確実に±５Ｖ以下に人体電圧を抑制することができる静電気対策用リストバンドおよび静電気対策用リストバンドセットを提供することを目的とする。
【課題を解決するための手段】
【０００６】
上記目的を達成するために、第１発明によれば、帯体と、帯体に支持される第１電極と、第１電極に巻き付けられる第１導電性ゲルと、帯体に支持されて、第１電極および第１導電性ゲルから絶縁される第２電極と、第１電極および第１導電性ゲルから絶縁されつつ第２電極に巻き付けられる第２導電性ゲルとを備えることを特徴とする静電気対策用リストバンドが提供される。
【０００７】
帯体が使用者の手首に装着されると、第１導電性ゲルおよび第２導電性ゲルは使用者の皮膚に密着する。たとえ使用中に帯体が緩んできても、第１および第２導電性ゲルは密着を維持することができる。したがって、第１および第２電極には確実に人体の静電気が流れ込むことができる。
【０００８】
静電気対策用リストバンドは、前記第１電極に形成されて、外側に向かって突き出る第１電極突起と、前記第１導電性ゲルに形成されて、第１電極突起を受け入れる第１貫通孔と、前記第２電極に形成されて、外側に向かって突き出る第２電極突起と、前記第２導電性ゲルに形成されて、第２電極突起を受け入れる第２貫通孔とをさらに備えてもよい。こういった構成によれば、第１導電性ゲルや第２導電性ゲルの脱落は確実に防止されることができる。
【０００９】
静電気対策用リストバンドは、前記第１導電性ゲルの縁に沿って延びるガイド部材をさらに備えてもよく、前記第２導電性ゲルの縁に沿って延びるガイド部材をさらに備えてもよい。こういったガイド部材によれば、第１導電性ゲルや第２導電性ゲルの横ずれは防止されることができる。
【００１０】
第２発明によれば、帯体と、帯体に支持される第１電極と、第１電極に巻き付けられる第１導電性ゲルと、帯体に支持されて、第１電極および第１導電性ゲルから絶縁される第２電極と、第１電極および第１導電性ゲルから絶縁されつつ第２電極に巻き付けられる第２導電性ゲルと、第１導電ケーブルの先端に接続されて、第１電極に着脱自在に結合される第１着脱電極と、第２導電ケーブルの先端に接続されて、第２電極に着脱自在に結合される第２着脱電極とを備えることを特徴とする静電気対策用リストバンドセットが提供される。
【００１１】
この静電気対策用リストバンドセットは前述の静電気対策用リストバンドを利用する。したがって、第１および第２電極には確実に人体の静電気が流れ込むことができる。第１および第２電極に流れ込んだ静電気は第１および第２導電ケーブルから逃がされることができる。
【００１２】
静電気対策用リストバンドセットは、前記第１および第２着脱電極を保持し、導電性ゲルに覆い被さる電極ユニット本体をさらに備えてもよい。こういった電極ユニット本体によれば、第１および第２導電性ゲルの脱落は一層確実に防止されることができる。
【発明の効果】
【００１３】
以上のように本発明によれば、確実に±５Ｖ以下に人体電圧を抑制することができる静電気対策用リストバンドおよび静電気対策用リストバンドセットを提供する。
【発明を実施するための最良の形態】
【００１４】
以下、添付図面を参照しつつ本発明の一実施形態を説明する。
【００１５】
図１は本発明の第１実施形態に係る静電気対策用リストバンドセット１１の構造を概略的に示す。この静電気対策用リストバンドセット１１は静電気対策用リストバンド１２および接地線ケーブル１３を備える。静電気対策用リストバンド１２は例えば作業者の手首に着用される。
【００１６】
静電気対策用リストバンド１２は帯体１４を有する。帯体１４は伸縮自在な素材から構成される。しかも、帯体１４には長さ調整機構１５が接続される。したがって、帯体１４は作業者の手首に確実に巻かれることができる。帯体１４の緩みは解消されることができる。
【００１７】
帯体１４には本体ユニット１６が取り付けられる。本体ユニット１６はユニット本体１７を備える。ユニット本体１７には３列のガイド１８が形成される。ガイド１８は帯体１４の表裏にわたって帯体１４を一回りする。隣接するガイド１８同士の間には第１および第２導電性ゲル１９ａ、１９ｂがそれぞれ配置される。第１および第２導電性ゲル１９ａ、１９ｂは帯体１４回りでユニット本体１７に巻き付けられる。第１および第２導電性ゲル１９ａ、１９ｂは複数回にわたって巻き付けられてもよい。第１および第２導電性ゲル１９ａ、１９ｂは中央のガイド１８で相互に絶縁される。ガイド１８はユニット本体１７上で第１および第２導電性ゲル１９ａ、１９ｂの横ずれを防止する。ガイド１８は本発明に係るガイド部材として機能する。
【００１８】
接地線ケーブル１３は第１および第２導電ケーブル２１、２２を含む。第１および第２導電ケーブル２１、２２の先端にはそれぞれ第１および第２着脱電極２３ａ、２３ｂが連結される。第１および第２着脱電極２３ａ、２３ｂは個別に本体ユニット１６に着脱自在に結合される。第１および第２導電ケーブル２１、２２には共通にプラグ２４が接続される。第１および第２導電ケーブル２１、２２はプラグ２４の内側端子および外側端子に個別に接続される。
【００１９】
図２に示されるように、ユニット本体１７には第１および第２電極２５ａ、２５ｂが支持される。第１および第２電極２５ａ、２５ｂは第１および第２電極突起２６ａ、２６ｂを備える。第１および第２電極突起２６ａ、２６ｂはユニット本体１７の表側で第１および第２導電性ゲル１９ａ、１９ｂの表面からそれぞれ突出する。第１および第２導電性ゲル１９ａ、１９ｂには第１および第２貫通孔２７ａ、２７ｂがそれぞれ形成される。第１貫通孔２７ａは第１電極突起２６ａを受け入れる。第２貫通孔２７ｂは第２電極突起２６ｂを受け入れる。こうして第１および第２導電性ゲル１９ａ、１９ｂの脱落は確実に防止される。
【００２０】
図３に示されるように、第１および第２電極２５ａ、２５ｂは平板状の第１および第２電極本体３１ａ、３１ｂを備える。第１および第２電極本体３１ａ、３１ｂはユニット本体１７の裏側で帯体１４に個別に重ね合わせられる。第１および第２電極本体３１ａ、３１ｂは、ユニット本体１７に巻き付けられた第１および第２導電性ゲル１９ａ、１９ｂの内側にそれぞれ配置される。すなわち、第１および第２電極本体３１ａ、３１ｂの表面は第１および第２導電性ゲル１９ａ、１９ｂでそれぞれ覆われる。
【００２１】
図４に示されるように、第１および第２電極本体３１ａ、３１ｂは対応の第１および第２電極突起２６ａ、２６ｂに連結される。第１および第２電極突起２６ａ、２６ｂの基端は第１および第２電極本体３１ａ、３１ｂにかしめられればよい。第１および第２電極突起２６ａ、２６ｂは帯体１４を貫通する。第１および第２電極突起２６ａ、２６ｂの先端には膨張部３２が形成される。その一方で、第１および第２着脱電極２３ａ、２３ｂには１対の棒状ばね部材３３がそれぞれ組み込まれる。個々の着脱電極２３ａ、２３ｂ内で棒状ばね部材３３、３３は相互に平行に延びる。棒状ばね部材３３、３３同士の間隔は第１および第２電極突起２６ａ、２６ｂの膨張部３２よりも小さく設定される。同時に、棒状ばね部材３３同士の間隔は第１および第２電極突起２６ａ、２６ｂのくびれよりも大きく設定される。したがって、第１および第２着脱電極２３ａ、２３ｂの装着にあたって第１および第２電極突起２６ａ、２６ｂの膨張部３２が棒状ばね部材３３、３３同士の間を通過すると、棒状ばね部材３３、３３同士の間から膨張部３２の抜けは防止される。棒状ばね部材３３、３３の弾性力に抗して膨張部３２が引き抜かれると、第１および第２着脱電極２３ａ、２３ｂは第１および第２電極２５ａ、２５ｂから取り外されることができる。
【００２２】
第１電極２５ａは隣接するガイド１８、１８同士の間に配置される。同様に、第２電極２５ｂは隣接するガイド１８、１８同士の間に配置される。こうして第１電極２５ａおよび第２電極２５ｂは中央のガイド１８で相互に隔絶される。第１電極２５ａは第２電極２５ｂから絶縁される。第１および第２着脱電極２３ａ、２３ｂにはそれぞれ樹脂製カバーが装着される。第１着脱電極２３ａは第２着脱電極２３ｂから確実に絶縁される。
【００２３】
いま、作業者が静電気対策用リストバンド１２を装着する場面を想定する。図５に示されるように、作業者Ｍは手首に帯体１４を巻く。長さ調整機構１５で帯体１４が締め付けられると、帯体１４の伸縮力の働きでユニット本体１７の裏側は作業者Ｍの手首に押し付けられる。第１および第２導電性ゲル１９ａ、１９ｂは作業者Ｍの皮膚に密着する。たとえ作業中に帯体１４が緩んできても、第１および第２導電性ゲル１９ａ、１９ｂは密着を維持することができる。
【００２４】
第１および第２電極２５ａ、２５ｂには第１および第２着脱電極２３ａ、２３ｂがそれぞれ接続される。その一方で、プラグ２４は電圧モニター３５のジャックに差し込まれる。電圧モニター３５には電圧値が表示される。電圧モニター３５は接地される。こうして第１および第２導電性ゲル１９ａ、１９ｂ、第１および第２電極２５ａ、２５ｂ、第１および第２着脱電極２３ａ、２３ｂ並びに第１および第２導電ケーブル２１、２２は皮膚からアースまで電流経路を形成する。人体の静電気は第１および第２導電性ゲル１９ａ、１９ｂ、第１および第２電極２５ａ、２５ｂ、第１および第２着脱電極２３ａ、２３ｂ、第１および第２導電ケーブル２１、２２並びに電圧モニター３５を流通する。人体の静電気はアースに逃される。その結果、人体の帯電電圧は例えば±１Ｖ以下に抑え込まれることができる。ここでは、作業者Ｍは電圧モニター３５上の表示に基づき人体の帯電電圧値を確認することができる。
【００２５】
作業者Ｍがハードディスク駆動装置用のキャリッジ３６を把持する場面を想定する。把持にあたって作業者Ｍは例えばニトリルゴム製の手袋を着用する。ニトリルゴム製の手袋は任意の帯電防止機能を発揮する。キャリッジ３６には樹脂製のホルダー３７が装着される。ホルダー３７には導電体３８が貼り付けられる。導電体３８はキャリッジ３６に接触する。ホルダー３７が作業者Ｍの指で摘まれると、作業者Ｍの指は導電体３８に接触する。キャリッジ３６および作業者Ｍの間で接触抵抗は最大限に低減される。
【００２６】
キャリッジ３６ではキャリッジブロックに複数本のヘッドサスペンションアセンブリーが支持される。キャリッジブロックは例えばアルミニウムから成形される。成形にあたって例えば鋳造が用いられる。個々のヘッドサスペンションアセンブリーではヘッドサスペンション上に浮上ヘッドスライダが搭載される。ヘッドサスペンションは例えばステンレス鋼やアルミニウムから成形されればよい。成形にあたって例えば板金の打ち抜き加工が用いられればよい。
【００２７】
浮上ヘッドスライダは例えば硬質のスライダ本体を備える。スライダ本体はＡｌ２Ｏ３−ＴｉＣから成形される。スライダ本体の一端には軟質のＡｌ２Ｏ３膜が積層される。Ａｌ２Ｏ３膜にはいわゆる磁気ヘッドすなわち電磁変換素子（図示されず）が埋め込まれる。電磁変換素子は書き込み素子と読み出し素子とを備える。書き込み素子には、例えば、導電性の薄膜コイルパターンで生成される磁界を利用して磁気ディスクに情報を書き込む薄膜磁気ヘッドや単磁極ヘッドが用いられればよい。読み出し素子には、スピンバルブ膜やトンネル接合膜の抵抗変化を利用して磁気ディスクから情報を読み出す巨大磁気抵抗効果（ＧＭＲ）素子やトンネル接合磁気抵抗効果（ＴＭＲ）素子が用いられればよい。
【００２８】
作業者Ｍがホルダー３７を把持すると、キャリッジ３６の静電気は導電体３８から作業者Ｍに流れ込む。作業者Ｍの帯電電圧は±１Ｖ以下に抑え込まれることから、キャリッジ３６の帯電電圧は±１Ｖ以下に抑え込まれることができる。その結果、たとえ作業中にキャリッジ３６が導電体に接触しても、静電気放電は回避されることができる。静電気放電が回避されると、読み出し素子では静電気放電に基づく二次誘導電流は回避されることができる。読み出し素子の破壊は確実に回避されることができる。
【００２９】
本発明者は人体の帯電電圧を測定した。測定にあたって被験者の左手首には前述の静電気対策用リストバンド１２が装着された。プラグ２４は電圧モニター３５のジャックに差し込まれた。その一方で、被験者は右手でいわゆるチャージプレートを把持した。チャージプレートには静電気測定器が接続された。被験者は足踏みに基づき静電気を生成した。静電気測定器で帯電電圧の時間変化が測定された。その結果、図６に示されるように、人体の帯電電圧は±１Ｖ以下に抑えられることが確認された。
【００３０】
本発明者は従来の静電気対策用リストバンドを用意した。この静電気対策用リストバンドでは第１および第２導電性ゲル１９ａ、１９ｂが省略された。第１および第２電極２５ａ、２５ｂは直接に被験者の皮膚に押し付けられた。その他、前述と同様な条件が設定された。その結果、図７に示されるように、人体の帯電電圧は±５Ｖを超えることが確認された。
【００３１】
図８は本発明の第２実施形態に係る静電気対策用リストバンドセット１１ａを示す。この静電気対策用リストバンドセット１１では第１および第２着脱電極２３ａ、２３ｂが電極ユニット本体４１に保持される。すなわち、第１および第２着脱電極２３ａ、２３ｂは電極ユニット本体４１に一体化される。電極ユニット本体４１は第１および第２導電性ゲル１９ａ、１９ｂに覆い被さる。その結果、一層確実に第１および第２導電性ゲル１９ａ、１９ｂの脱落は防止されることができる。その他、前述の第１実施形態と均等な構成には同一の参照符号が付される。
【００３２】
（付記１）  帯体と、帯体に支持される第１電極と、第１電極に巻き付けられる第１導電性ゲルと、帯体に支持されて、第１電極および第１導電性ゲルから絶縁される第２電極と、第１電極および第１導電性ゲルから絶縁されつつ第２電極に巻き付けられる第２導電性ゲルとを備えることを特徴とする静電気対策用リストバンド。
【００３３】
（付記２）  付記１に記載の静電気対策用リストバンドにおいて、前記第１電極に形成されて、外側に向かって突き出る第１電極突起と、前記第１導電性ゲルに形成されて、第１電極突起を受け入れる第１貫通孔と、前記第２電極に形成されて、外側に向かって突き出る第２電極突起と、前記第２導電性ゲルに形成されて、第２電極突起を受け入れる第２貫通孔とをさらに備えることを特徴とする静電気対策用リストバンド。
【００３４】
（付記３）  付記２に記載の静電気対策用リストバンドにおいて、前記第１導電性ゲルの縁に沿って延びるガイド部材をさらに備えることを特徴とする静電気対策用リストバンド。
【００３５】
（付記４）  付記３に記載の静電気対策用リストバンドにおいて、前記第２導電性ゲルの縁に沿って延びるガイド部材をさらに備えることを特徴とする静電気対策用リストバンド。
【００３６】
（付記５）  帯体と、帯体に支持される第１電極と、第１電極に巻き付けられる第１導電性ゲルと、帯体に支持されて、第１電極および第１導電性ゲルから絶縁される第２電極と、第１電極および第１導電性ゲルから絶縁されつつ第２電極に巻き付けられる第２導電性ゲルと、第１導電ケーブルの先端に接続されて、第１電極に着脱自在に結合される第１着脱電極と、第２導電ケーブルの先端に接続されて、第２電極に着脱自在に結合される第２着脱電極とを備えることを特徴とする静電気対策用リストバンドセット。
【００３７】
（付記６）  付記５に記載の静電気対策用リストバンドセットにおいて、前記第１電極に形成されて、外側に向かって突き出る第１電極突起と、前記第１導電性ゲルに形成されて、第１電極突起を受け入れる第１貫通孔と、前記第２電極に形成されて、外側に向かって突き出る第２電極突起と、前記第２導電性ゲルに形成されて、第２電極突起を受け入れる第２貫通孔とをさらに備えることを特徴とする静電気対策用リストバンドセット。
【００３８】
（付記７）  付記５に記載の静電気対策用リストバンドセットにおいて、前記第１および第２着脱電極を保持し、導電性ゲルに覆い被さる電極ユニット本体をさらに備えることを特徴とする静電気対策用リストバンドセット。
【００３９】
（付記８）  付記５に記載の静電気対策用リストバンドセットにおいて、前記第１導電性ゲルの縁に沿って延びるガイド部材をさらに備えることを特徴とする静電気対策用リストバンドセット。
【００４０】
（付記９）  付記８に記載の静電気対策用リストバンドセットにおいて、前記第２導電性ゲルの縁に沿って延びるガイド部材をさらに備えることを特徴とする静電気対策用リストバンドセット。
【図面の簡単な説明】
【００４１】
【図１】本発明の第１実施形態に係る静電気対策用リストバンドセットの構造を示す斜視図である。
【図２】静電気対策用リストバンドおよび接地線ケーブルの分解斜視図である。
【図３】ユニット本体の裏側を示す平面図である。
【図４】図１の４−４線に沿った断面図である。
【図５】静電気対策用リストバンドセットの使用方法を示す概念図である。
【図６】本発明に係る静電気対策用リストバンドセットの帯電電圧値を示すグラフである。
【図７】従来の静電気対策用リストバンドセットの帯電電圧値を示すグラフである。
【図８】本発明の第２実施形態に係る静電気対策用リストバンドセットの構造を示す斜視図である。
【符号の説明】
【００４２】
１１  静電気対策用リストバンドセット、１２  静電気対策用リストバンド、１８  ガイド部材（ガイド）、１９ａ  第１導電性ゲル、１９ｂ  第２導電性ゲル、２１  第１導電ケーブル、２２  第２導電ケーブル、２３ａ  第１着脱電極、２３ｂ  第２着脱電極、２５ａ  第１電極、２５ｂ  第２電極、２６ａ  第１電極突起、２６ｂ  第２電極突起、２７ａ  第１貫通孔、２７ｂ  第２貫通孔、４１  電源ユニット本体。
【図１】
2008198401.tif 000003
【図２】
2008198401.tif 000004
【図３】
2008198401.tif 000005
【図４】
2008198401.tif 000006
【図５】
2008198401.tif 000007
【図６】
2008198401.tif 000008
【図７】
2008198401.tif 000009
【図８】
2008198401.tif 000010